(57)【要約】【課題】異なる映像機器間における設定調整が難しかった。【解決手段】映像機器１は、バーコード読み取り器２１からのバーコードデータを受信するバーコードデータ受信部１７と、受信したバーコードデータを抽出するバーコードデータ抽出部１５と、抽出したバーコードデータを、変換テーブル１１に基づいて変換する変換データ作成部７と、変換データを機器に反映するデータ反映部５と、そのデータの設定を記憶する設定記憶部３と、を有している。バーコードデータ抽出部１５は、バーコードなどのコード化されたデータをデコードする機能を兼ねても良いし、バーコード読み取り器２１によって読みとった際にデコードされるようにしても良い。また、バーコードデータ読みとり機２１と、ＴＶなどの映像機器と、を内蔵する携帯電話機などであっても良い。【選択図】図１
2008292714.tif 000002
【特許請求の範囲】
【請求項１】
映像に関して設定される設定情報に基づいて映像を出力する映像機器において、
基準となる第１の設定情報を記憶する設定記憶部と、
第２の設定情報を取得する設定情報取得部と、
機種毎の変換係数を記憶する変換テーブルと、
取得した前記第２の設定情報と前記第１の設定情報とが異なる場合に、前記第２の設定情報を前記変換テーブルに基づいて変換した結果として得られる第３の設定情報を映像の調整に反映する設定反映部と
を有することを特徴とする映像機器。
【請求項２】
前記変換テーブルは、前記第１の設定情報を基準とした機種毎のオフセット値を記憶し、前記第２の設定情報に前記オフセット値を反映させることにより前記第３の設定情報を得ることを特徴とする請求項１に記載の映像機器。
【請求項３】
前記第２の設定情報がコード化されたデータである場合に、該コード化されたデータをデコードするデコード部を有することを特徴とする請求項１又は２に記載の映像機器。
【請求項４】
さらに、前記コード化されたデータをデコードするコード化データ読み取り部を有することを特徴とする請求項３に記載の映像機器。
【請求項５】
前記コード化されたデータが、映像コンテンツのソースに付随していることを特徴とする請求項３又は４に記載の映像機器。
【請求項６】
映像に関して設定される設定情報に基づいて映像を出力する映像機器において、
基準となる設定情報を記憶する設定記憶部と、
該設定情報をコード化するコード化部と、
コード化された設定情報を、表示するための映像と合成する合成部と、
合成された合成映像を表示する表示部と
を有することを特徴とする映像機器。
【請求項７】
前記合成映像は、前記映像と前記コード化された設定情報とを含むことを特徴とする請求項６に記載の映像機器。
【請求項８】
さらに、前記コード化された設定情報を切り出す設定情報切り出し部を有することを特徴とする請求項６又は７に記載の映像機器。
【請求項９】
映像に関して設定される設定情報に基づいて映像を出力する映像機器における設定調整方法であって、
新たな設定情報を取得するステップと、
取得した前記新たな設定情報と既存の設定情報とが異なる場合に、前記新たな設定情報を機器が備える変換テーブルに基づいて変換した結果として得られる設定情報に基づいて映像の調整に反映するステップと
を有することを特徴とする設定調整方法。
【請求項１０】
映像に関して設定される設定情報に基づいて映像を出力する映像機器における設定調整情報出力方法であって、
機器の設定情報をコード化するステップと、
コード化された設定情報を、表示するための映像と合成する合成ステップと、
合成された合成映像を表示する表示ステップと
を有することを特徴とする設定調整情報出力方法。
【請求項１１】
さらに、前記コード化された設定情報を撮影するステップと、
撮影した前記コード化された設定情報を、他の機器に適用するステップと
を有することを特徴とする請求項１０に記載の設定情報出力方法。
【請求項１２】
請求項９から１１までのいずれか１項に記載のステップをコンピュータに実行させるためのプログラム。
【請求項１３】
請求項１２に記載のプログラムを記録するコンピュータ読みとり可能な記録媒体。
【発明の詳細な説明】
【技術分野】
【０００１】
本発明は、テレビやモニターなどのＡＶ機器の設定調整技術に関し、特に、ユーザー毎、コンテンツ毎の映像調整を容易にするための設定調整技術に関する。
【背景技術】
【０００２】
デジタルテレビジョン受信装置やプロジェクタ装置などの映像機器においては、大画面化・高画質化に伴って、映像に関する設定の調整が難しくなってきている。
【０００３】
例えば、プロジェクタに関し、個別のユーザー毎の設定をバーコード化して記憶させることにより、このバーコードを読み出してプロジェクタの設定に反映させることにより、ユーザーが変わっても、それぞれの設定を自動的に変更するシステムが提案されている（特許文献１参照）。
【０００４】
また、最近のテレビジョン受信装置は大型化が進み、よりライブや映画館などの施設での臨場感を味わうため、コンテンツ毎に映像調整で好みの画質に追い込みたいというユーザーの要望が増えてきている。テレビジョン受信装置において、映画／ゲーム／標準などのカテゴリごとにパラメータを持たせてあらかじめ画質を追い込こむことが可能なシステムが実現されている。
【０００５】
【特許文献１】特開２０００−３５６９７９号公報
【発明の開示】
【発明が解決しようとする課題】
【０００６】
図１１は、上記背景技術におけるＡＶ機器の一構成例を示す機能ブロック図である。図１１に示すように、上記ＡＶ機器１０１は、バーコード読み取り器１１５により読みとったバーコードの情報を受信するバーコードデータ受信部１１１と、バーコードデータを抽出するバーコードデータ抽出部１０７と、バーコードデータを機器の設定に反映するデータ反映部１０５と、反映させた設定値を記憶する設定値記憶部１０３と、を有している。
【０００７】
図１１に示すＡＶ機器では、ユーザー又はコンテンツ毎に、出力する映像機器に対する映像信号に関する設定をバーコード化することに関する言及が存在するが、異なる映像出力機器に関してどのように調整するかに関する考慮はされておらず、同じ映像出力機器を見つけて設定をバーコード化しなければならないという煩雑さがあった。
【０００８】
また、従来技術では、パーソナルコンピュータを用いてバーコード化を行っているため、バーコード化のアルゴリズムをパーソナルコンピュータにも持たせる必要があるという煩雑さがあった。
本発明は、異なる映像機器においても設定調整をより簡単に行うことを目的とする。
【課題を解決するための手段】
【０００９】
本発明の一観点によれば、映像に関して設定される設定情報に基づいて映像を出力する映像機器において、基準となる第１の設定情報を記憶する設定記憶部と、第２の設定情報を取得する設定情報取得部と、機種毎の変換係数を記憶する変換テーブルと、取得した前記第２の設定情報と前記第１の設定情報とが異なる場合に、前記第２の設定情報を前記変換テーブルに基づいて変換した結果として得られる第３の設定情報を映像の調整に反映する設定反映部と、を有することを特徴とする映像機器が提供される。前記変換テーブルは、前記第１の設定情報を基準とした機種毎のオフセット値を記憶し、前記第２の設定情報に前記オフセット値を反映させることにより前記第３の設定情報を得ることが好ましい。前記第２の設定情報がコード化されたデータである場合に、該コード化されたデータをデコードするデコード部を有することが好ましい。さらに、前記コード化されたデータをデコードするコード化データ読み取り部を有することが好ましい。前記コード化されたデータが、映像コンテンツのソースに付随していることが好ましい。映像コンテンツのソースとは、例えばＤＶＤのパッケージや、放送波に含めた情報等であっても良い。
【００１０】
また、映像に関して設定される設定情報に基づいて映像を出力する映像機器において、基準となる設定情報を記憶する設定記憶部と、該設定情報をコード化するコード化部と、コード化された設定情報を、表示するための映像と合成する合成部と、合成された合成映像を表示する表示部と、を有することを特徴とする映像機器であっても良い。前記合成映像は、前記映像と前記コード化された設定情報とを含むことが好ましい。さらに、前記コード化された設定情報を切り出す設定情報切り出し部を有することが好ましい。
【００１１】
本発明の他の観点によれば、映像に関して設定される設定情報に基づいて映像を出力する映像機器における設定調整方法であって、新たな設定情報を取得するステップと、取得した前記新たな設定情報と既存の設定情報とが異なる場合に、前記新たな設定情報を機器が備える変換テーブルに基づいて変換した結果として得られる設定情報に基づいて映像の調整に反映するステップと、を有することを特徴とする設定調整方法が提供される。
【００１２】
また、映像に関して設定される設定情報に基づいて映像を出力する映像機器における設定調整情報出力方法であって、機器の設定情報をコード化するステップと、コード化された設定情報を、表示するための映像と合成する合成ステップと、合成された合成映像を表示する表示ステップと、を有することを特徴とする設定調整情報出力方法が提供される。さらに、前記コード化された設定情報を撮影するステップと、撮影した前記コード化された設定情報を、他の機器に適用するステップと、を有していても良い。また、本発明は、上記ステップをコンピュータに実行させるためのプログラムであっても良く、そのプログラムを記録するコンピュータ読みとり可能な記録媒体であっても良い。
【発明の効果】
【００１３】
本発明によれば、異なる機種ごとに設定情報を準備することなく個々の機種ごとに異なる映像設定を行うことができる。
【発明を実施するための最良の形態】
【００１４】
以下、本発明の一実施の形態による映像機器の設定調整システムについて図面を参照しながら説明を行う。図１は、本実施の形態による映像機器の一構成例を示す図であり、図１１に対応する図である。図１に示すように、本実施の形態による映像機器１は、バーコード読み取り器２１からのバーコードデータを受信するバーコードデータ受信部１７と、受信したバーコードデータを抽出するバーコードデータ抽出部１５と、抽出したバーコードデータを、変換テーブル１１に基づいて変換する変換データ作成部７と、変換データを機器に反映するデータ反映部５と、そのデータの設定を記憶する設定記憶部３と、を有している。バーコードデータ抽出部１５は、バーコードなどのコード化されたデータをデコードする機能を兼ねても良いし、バーコード読み取り器２１によって読みとった際にデコードされるようにしても良い。また、バーコードデータ読みとり機２１と、ＴＶなどの映像機器と、を内蔵する携帯電話機などであっても良い。
【００１５】
バーコードには、基準となる映像機器の設定情報を記憶させてバーコード化する。バーコード情報を受け取る映像機器１側では、基準設定からの機種オフセットテーブルを持たせて、受け取った設定情報からオフセットテーブルに従った調整を加えることにより、映像出力機器毎に調整された映像を出力することができる。
【００１６】
例えばＤＶＤのパッケージや、映画情報誌、ＴＶガイドなどの映像コンテンツに関する情報として、映像出力機器の設定情報をバーコード化して印刷しておく。或いは、インターネットのサイトなどで、映像コンテンツに関する情報として、映像出力機器の設定情報をバーコード化して画面に表示させるものを用いても良い。これらのバーコード情報を映像出力機器１に読み込み、設定を反映させることにより、コンテンツにあった映像設定を行うことができる。
【００１７】
図４は、バーコードデータの一例を示す図であり、図５から図７までは、変換テーブル１１の構成例を示す図である。
【００１８】
図４に示すように、バーコード中のデータ構成は、例えば、設定項目と、設定値と、設定ｍｉｎと、設定ｍａｘと、を有している。ダイレクトで機種を指定した数値（設定値）と、標準に対する数値（設定ｍｉｎ、設定ｍａｘ）と、の両方をバーコード化しておくことにより、特定機種、すなわち同じ機種には変換テーブルを通さない数値がダイレクトに反映できる。また、特定外機種、すなわち異なる機種に関しては、変換テーブルを通して数値の設定ができるようになっている。                          
【００１９】
図５は、変換テーブルの第１の構成例であり、設定項目として、明るさ、明度、暗度、色の濃さ、色合い、画質などを有し、それぞれに関して、設定ｍｉｎと、設定ｍａｘと、変換係数と、が設けられている。上記図４に示すバーコードの設定値に対して、変換係数を乗算した値である設定値計算値と、これをまるめた値である設定値と、を有している。
【００２０】
図６は、変換テーブルの第２の構成例であり、設定項目は図５と同様である。変換係数は、Ｘ＋０.１のように加算を行うようになっており、設定値計算値は加算を行った結果、設定値は加算を行った結果をまるめた値である。
【００２１】
図７は、図５の設定項目に対して、映像機器特有の設定として色温度と輪郭調整という項目が追加されている。送られて来る情報に該当項目が無いときには、設定値の変更はなく、また、送られてくる情報に該当する項目の設定が無いときには、送られてくる情報は単に使用しないことで、受信側設定へ影響をなくす。
【００２２】
図８は、上記機器における処理の流れを示すフローチャート図である。図８に示すように、まず、処理を開始し（ステップＳ１：ｓｔａｒｔ）、ステップＳ２においてバーコードデータの受信を待つ。バーコードデータを受信すると（Ｙｅｓ）、ステップＳ３に進み、バーコードデータを抽出してデコードを行う。次いで、ステップＳ４において、異なる機器種別からのバーコードであるか否かを判定し、ＮＯ（同種別）の場合には後述するステップＳ７に進む。ＹＥＳ（異種別）の場合には、ステップＳ５に進み、変換テーブルの読み込みを行う。次いで、ステップＳ６において変換データを作成し、ステップＳ７においてデータを機器の設定に反映させる。ステップＳ８において反映させた設定データをメモリに記憶し、処理を終了する（ステップＳ９：ｅｎｄ）。以上の処理により、バーコードデータに基づいて、同機種、異機種の場合にかかわらず、設定データを変更することができる。受け取った設定情報からオフセットテーブルに従った調整を加える事により、異なる機種ごとに設定情報を準備することなく個々の機種ごとに異なる映像設定を行うことが可能となる。特に、異機種の場合でも、変換テーブルに基づいて設定変更を行うことができるため、ユーザの意図を適切に反映した設定を行うことができる。尚、バーコードはコード化されたデータの一例として示したものであり、２次元コードなど他の形態であっても良い。
【００２３】
図２は、本実施の形態によるＡＶ機器であって、バーコードデータを出力する側の機器の一構成例を示す機能ブロック図である。図２に示すように、本実施の形態による出力側映像機器システムＢにおける出力側映像機器３１は、リモコン送出器３５からのリモコン信号を受信するリモコン受信部３７と、受信したリモコン信号をデコードするリモコンデコード部４１と、リモコン信号に基づいて設定変更を行う設定変更部４３と、変更された設定値を記憶する設定記憶部４５と、設定を抽出する設定抽出部４７と、抽出された設定データをバーコード化するバーコード生成部５１と、コンテンツの映像とバーコードとを合成する映像合成部５３と、それに基づく映像信号を生成する映像信号生成部５５と、生成された映像信号に基づく映像を表示する映像表示部５７と、を有している。図３は、映像表示部５７に表示されたコンテンツ７１と、バーコード表示領域６９に表示されたバーコード６７の表示例を示す図である。この表示を、例えば、携帯端末６１に設けられているデジタルカメラ６３により撮影し、通信部６５から装置Ａに向けて送信することができる。尚、図１のバーコード読み取り機能は、携帯端末６１に設けられていても良い。
【００２４】
映像コンテンツ毎に、設定を追い込んで映像化し、写真としてコンテンツとともに保持する。取り込んだ写真データからバーコード設定情報をデコードし、設定情報に反映させる。これにより、ユーザーが特定機器で追い込んだ設定を広く配布しても、機種が異なって使用することができる。従って、より多くのユーザーがその追い込んだ情報を用いて出力機器に情報を反映させることができる。映像出力機器において、ユーザーが設定した映像情報をバーコード化させ表示させ、受け取った映像から設定データを抽出させることにより、外部にバーコード化手段を持たせる必要がなく、カメラ付きの携帯電話や、デジタルカメラを設定の記憶媒体とすることができ、他者との設定データのやり取りが容易になる。
【００２５】
映像機器への写真の取り込み方として、バーコードリーダーでの読み取りが提案されているが、映像機器において写真表示などの機能を保持させる。尚、データのやり取りが可能であれば、有線／無線通信／デバイス通信による汎用のデータ転送技術を用いることにより、例えば、データ保持／送信側が汎用的なデジタルカメラや、カメラ付き携帯電話などからのデータをバーコードデータとして映像機器に転送が可能となる。有線としては、RS-232C、USBなどが挙げられる。無線としては、BlueTooth、IrSimple、IrSSなどの無線通信モジュールが挙げられる。デバイスとしてはメモリカードが挙げられる。
【００２６】
図９は、バーコードの生成・表示処理の流れを示すフローチャート図である。図９に示すように、ます、処理を開始し（ステップＳ１１：ｓｔａｒｔ）、ステップＳ１２において設定変換が検出されたか否かを判定する。設定変換を検出すると（Ｙｅｓ）、ステップＳ１３において、設定を記憶し、ステップＳ１４において設定値をバーコード化し、ステップＳ１５において、バーコードを表示する。これにより設定値の表示処理が終了する（ステップＳ１６：ｅｎｄ）。
【００２７】
図１０は、バーコードの撮影と送信処理の流れを示すフローチャート図である。図１０に示すように、まず処理を開始し（ステップＳ２１：ｓｔａｒｔ）、ステップＳ２２で表示されたバーコードを撮影する。次いで、撮影したバーコードを図１の装置側に送信し（ステップＳ２３）、図８のステップＳ２に進む。
【００２８】
尚、以下のように使用をすれば、商品サービスの現場で、ユーザーの機器設定に依存する不具合の再現が容易になる。
１）ＴＶユーザーが不具合発生時にユーザーがメニューに従い、画面にバーコードを表示させ、その写真をデジタルカメラで撮り、メールに添付し、サービスセンターに送付する。
２）写真を受け取ったサービスセンターでは、たとえばIrSSにより、データを機器に転送し、バーコード抽出、抽出データ展開をすることにより、不具合発生時のセットと同じ設定を容易に再現することができる。このとき、個人情報に関しては、抽出しないなどで保護することもできるようにすることが望ましい。
３）映像出力機器にてユーザーが設定した映像情報をバーコード化させ表示させ、受け取った映像から設定データを抽出させることにより、外部にバーコード化手段を持たせる必要がなく、カメラ付きの携帯電話や、デジタルカメラを設定の記憶媒体とすることができ、他者との設定データのやり取りが容易になる。
【産業上の利用可能性】
【００２９】
本発明は映像機器等の電子機器に利用可能である。
【図面の簡単な説明】
【００３０】
【図１】本発明の一実施の形態による映像機器の一構成例を示す図である。
【図２】本実施の形態によるＡＶ機器であって、バーコードデータを出力する側の機器の一構成例を示す機能ブロック図である。
【図３】映像表示部に表示されたコンテンツと、バーコード表示領域に表示されたバーコードの表示例を示す図である。
【図４】バーコードデータの一例を示す図である。
【図５】変換テーブルの第１構成例を示す図である。
【図６】変換テーブルの第２構成例を示す図である。
【図７】変換テーブルの第３構成例を示す図である。
【図８】本実施の形態による設定調整処理の流れを示すフローチャート図である。
【図９】バーコードの生成・表示処理の流れを示すフローチャート図である。
【図１０】バーコードの撮影と送信処理の流れを示すフローチャート図である。
【図１１】背景技術におけるＡＶ機器の一構成例を示す機能ブロック図である。
【符号の説明】
【００３１】
１…映像機器、３…設定記憶部、５…データ反映部、１１…変換テーブル、１５…バーコードデータ抽出部、１７…バーコードデータ受信部、２１…バーコード読み取り器。
【図１】
2008292714.tif 000003
【図２】
2008292714.tif 000004
【図３】
2008292714.tif 000005
【図４】
2008292714.tif 000006
【図５】
2008292714.tif 000007
【図６】
2008292714.tif 000008
【図７】
2008292714.tif 000009
【図８】
2008292714.tif 000010
【図９】
2008292714.tif 000011
【図１０】
2008292714.tif 000012
【図１１】
2008292714.tif 000013